(57)【特許請求の範囲】
【請求項１】
貯蔵室の前面を覆う扉本体部と、前記扉本体部の一周面の長手方向に沿って配されるハンドル部とを有した扉により前記貯蔵室を開閉する冷蔵庫において、
前記扉本体部に配されるとともに前記ハンドル部に沿って延び、長手方向の一端面から成る第１入射面と、第１入射面に隣接して長手方向に延びる第１出射面とを有する第１導光部材と、
前記扉本体部に配されるとともに前記ハンドル部に沿って延び、第１入射面に対向した長手方向の一端面から成る第２入射面と、第２入射面に隣接して長手方向に延びるとともに第１出射面と同じ方向に面した第２出射面とを有する第２導光部材と、
第１入射面と第２入射面との間に形成される空間部に配置される光源と、
前記空間部を覆うとともに、前記光源に面した第３入射面と、第１出射面と同じ方向に面した第３出射面とを有する第３導光部材と、
を備え、第３導光部材が第１入射面及び第２入射面に隣接する両端部の出射側に前記ハンドル部が延びた方向に対して傾斜した傾斜面を有し、
前記光源から出射された光がそれぞれ第１入射面、第２入射面及び第３入射面から入射して導光し、第１出射面、第２出射面及び第３出射面から出射して運転状態を報知することを特徴とする冷蔵庫。
【請求項２】
前記ハンドル部が背面側に手指を掛けるスペースを有して前記扉本体部の周面から突出するとともに第１出射面、第２出射面及び第３出射面に対して傾斜して対向する反射面を前面に有し、第１出射面、第２出射面及び第３出射面の出射光を前記反射面によって前方に反射することを特徴とする請求項１に記載の冷蔵庫。
【請求項３】
第３導光部材が第１入射面及び第２入射面の近傍で前記空間部内に向けて屈曲する屈曲部を有し、前記屈曲部の内面により第３入射面が形成されるとともに前記屈曲部の外面により前記傾斜面が形成され、前記ハンドル部が延びた方向に対する前記傾斜面の傾斜角が第３入射面の傾斜角よりも大きいことを特徴とする請求項１または請求項２に記載の冷蔵庫。
【請求項４】
前記光源を複数備え、各前記光源の光軸に対して、第１入射面及び第２入射面がそれぞれ直交するとともに第３入射面が傾斜または平行に配されることを特徴とする請求項１〜請求項３のいずれかに記載の冷蔵庫。
【請求項５】
第３出射面の対向面に不透明部材を配置したことを特徴とする請求項１〜請求項４のいずれかに記載の冷蔵庫。
【請求項６】
第１導光部材、第２導光部材及び第３導光部材がそれぞれ第１出射面、第２出射面及び第３出射面の対向面に凹設して長手方向に並設される複数のプリズム部を有することを特徴とする請求項１〜請求項５のいずれかに記載の冷蔵庫。
【請求項７】
前記光源が多色ＬＥＤにより形成され、運転状態に応じて前記光源の発光色を可変したことを特徴とする請求項１〜請求項６のいずれかに記載の冷蔵庫。
【発明の詳細な説明】
【技術分野】
【０００１】
本発明は、扉上で運転状態の報知光を点灯する冷蔵庫に関する。
【背景技術】
【０００２】
従来の冷蔵庫は特許文献１に開示されている。この冷蔵庫は貯蔵室を開閉する扉が貯蔵室の前面を覆う扉本体部と扉本体部の一端部に設けられるハンドル部とを有している。ハンドル部は扉本体部の側面から側方に突出して上下方向に延びて配され、背面側に手指を掛けるスペースが形成される。
【０００３】
ハンドル部の背面側のスペースの上部には複数組の操作スイッチ及び光源が上下方向に並設される。操作スイッチは押しボタンスイッチにより形成され、ハンドル部を貫通する押圧部材に対向配置される。光源はＬＥＤにより形成され、ハンドル部を貫通する拡散部材に対向配置される。
【０００４】
操作スイッチは所望の運転状態を指示し、押圧部材を介して操作スイッチを押圧すると、操作スイッチに対応する光源が発光する。光源から出射された光は拡散部材に入射して拡散透過し、扉の正面側に出射される。これにより、操作スイッチに対応した冷蔵庫の運転状態を扉の正面側に出射される報知光によって報知することができる。
【０００５】
また、特許文献１の他の実施形態では拡散部材が扉本体部上に配される。各光源から出射された光は扉本体部の前面に対して平行方向に拡散し、ハンドル部の側方から正面側に出射される。
【先行技術文献】
【特許文献】
【０００６】
【特許文献１】特許第３９４４５３０号公報（第３頁−第９頁、第１１図）
【発明の概要】
【発明が解決しようとする課題】
【０００７】
しかしながら、上記従来の冷蔵庫によると、光源の出射光が拡散部材を介して拡散されるが、隣接する光源からの光と干渉しない範囲で点灯領域が広げられる。このため、依然として報知光の点灯領域が狭く視認性が悪いため、冷蔵庫の利便性が悪い問題があった。また、ハンドル部が長期間の使用によって変形すると、拡散部材と光源との相対位置がずれて光量が減少するため報知光の視認性が更に低下する。
【０００８】
また、ハンドル部の背面側のスペースに操作スイッチ及び光源が配置されるため使用者が把持できる領域が狭くなり、冷蔵庫の利便性がより悪くなる問題もあった。
【０００９】
本発明は、利便性を向上できる冷蔵庫を提供することを目的とする。
【課題を解決するための手段】
【００１０】
上記目的を達成するために本発明は、貯蔵室の前面を覆う扉本体部と、前記扉本体部の一周面の長手方向に沿って配されるハンドル部とを有した扉により前記貯蔵室を開閉する冷蔵庫において、
前記扉本体部に配されるとともに前記ハンドル部に沿って延び、長手方向の一端面から成る第１入射面と、第１入射面に隣接して長手方向に延びる第１出射面とを有する第１導光部材と、
前記扉本体部に配されるとともに前記ハンドル部に沿って延び、第１入射面に対向した長手方向の一端面から成る第２入射面と、第２入射面に隣接して長手方向に延びるとともに第１出射面と同じ方向に面した第２出射面とを有する第２導光部材と、
第１入射面と第２入射面との間に形成される空間部に配置される光源と、
前記空間部を覆うとともに、前記光源に面した第３入射面と、第１出射面と同じ方向に面した第３出射面とを有する第３導光部材と、
を備え、前記光源から出射された光がそれぞれ第１入射面、第２入射面及び第３入射面から入射して導光し、第１出射面、第２出射面及び第３出射面から出射して運転状態を報知することを特徴としている。
【００１１】
この構成によると、扉本体部の一周面の長手方向に沿ってハンドル部が設けられ、ハンドル部を把持して扉が開閉される。ハンドル部を扉本体部の側面の長手方向に沿って上下方向に延びて形成してもよく、扉本体部の上下面の長手方向に沿って左右方向に延びて形成してもよい。第１、第２導光部材は光源を配置する空間部を介して長手方向に隣接し、ハンドル部に沿って配される。第３導光部材は空間部を覆い、ハンドル部に沿って配される。光源は冷蔵庫の運転状態に応じて発光し、光源から出射された光が第１〜第３入射面を介して第１〜第３導光部材に入射する。第１〜第３導光部材に入射した光は導光してそれぞれ同じ方向に面した第１〜第３出射面から出射される。これにより、運転状態に応じた報知光の点灯領域がハンドル部に沿う広い範囲に形成される。
【００１２】
また本発明は、上記構成の冷蔵庫において、前記ハンドル部が背面側に手指を掛けるスペースを有して前記扉本体部の周面から突出するとともに第１出射面、第２出射面及び第３出射面に対して傾斜して対向する反射面を前面に有し、第１出射面、第２出射面及び第３出射面の出射光を前記反射面によって前方に反射することを特徴としている。
【００１３】
この構成によると、扉本体部の周面に突出してハンドル部が設けられ、ハンドル部の背面側のスペースに配した手指をハンドル部に掛けて扉が開閉される。光源から第１〜第３導光部材に入射した光は導光して側方に面した第１〜第３出射面から出射され、ハンドル部に形成される傾斜した反射面で前方に反射する。
【００１４】
また本発明は、上記構成の冷蔵庫において、第３導光部材が第１入射面及び第２入射面に隣接する両端部の出射側に前記ハンドル部が延びた方向に対して傾斜した傾斜面を有することを特徴としている。この構成によると、第３入射面から入射した光が傾斜面で反射して第３導光部材を導光する。
【００１５】
また本発明は、上記構成の冷蔵庫において、第３導光部材が第１入射面及び第２入射面の近傍で前記空間部内に向けて屈曲する屈曲部を有し、前記屈曲部の内面により第３入射面が形成されるとともに前記屈曲部の外面により前記傾斜面が形成され、前記ハンドル部が延びた方向に対する前記傾斜面の傾斜角が第３入射面の傾斜角よりも大きいことを特徴としている。
【００１６】
この構成によると、光源の出射光は屈曲部の内面により形成される第３入射面を介して第３導光部材に入射し、屈曲部の外面の傾斜面に到達する。傾斜面のハンドル部の延びた方向に対する傾斜角は第３入射面よりも大きいため傾斜面に対する入射角が大きくなり、光が傾斜面で全反射して第３導光部材を導光する。
【００１７】
また本発明は、上記構成の冷蔵庫において、前記光源を複数備え、各前記光源の光軸に対して、第１入射面及び第２入射面がそれぞれ直交するとともに第３入射面が傾斜または平行に配されることを特徴としている。この構成によると、光源の出射光は光軸に直交する第１、第２入射面を介して第１、第２導光部材に入射し、光軸に対して傾斜または平行な第３入射面を介して一部の光が第３導光部材に入射する。
【００１８】
また本発明は、上記構成の冷蔵庫において、第３出射面の対向面に不透明部材を配置したことを特徴としている。この構成によると、不透明部材によって空間部内の視認が防止される。
【００１９】
また本発明は、上記構成の冷蔵庫において、第１導光部材、第２導光部材及び第３導光部材がそれぞれ第１出射面、第２出射面及び第３出射面の対向面に凹設して長手方向に並設される複数のプリズム部を有することを特徴としている。この構成によると、第１〜第３導光部材を導光する光が長手方向に並設される各プリズム部で反射し、第１〜第３出射面に臨界角よりも小さい入射角で入射する光が出射される。
【００２０】
また本発明は、上記構成の冷蔵庫において、前記光源が多色ＬＥＤにより形成され、運転状態に応じて前記光源の発光色を可変したことを特徴としている。この構成によると、多色ＬＥＤにより形成された光源が運転状態に応じて異なる色で発光する。
【発明の効果】
【００２１】
本発明によると、光源を配置する空間部を挟んでハンドル部に沿って配される第１、第２導光部材と、空間部を覆う第３導光部材とを備え、第１〜第３導光部材から報知光を出射する。このため、ハンドル部に沿う広い範囲を運転状態の報知光の点灯領域とすることができ、報知光の視認性を向上することができる。
【００２２】
また、導光部材及び光源が扉本体部に配されるため、長期使用によりハンドル部が変形しても光量の減少を防止して視認性の低下を防止できるとともに、ハンドル部の長手方向の全体を把持することができる。更に、空間部を覆う第３導光部材からも報知光が出射されるため、空間部による報知光の暗部の形成を防止することができる。従って、冷蔵庫の利便性を向上することができる。
【図面の簡単な説明】
【００２３】
【図１】本発明の実施形態の冷蔵庫を示す正面図
【図２】本発明の実施形態の冷蔵庫の扉を示す正面図
【図３】図２のＡ−Ａ断面図
【図４】図２のＢ−Ｂ断面図
【図５】本発明の実施形態の冷蔵庫の操作部カバーを示す正面断面図
【図６】本発明の実施形態の冷蔵庫の点灯装置の配置を示す正面図
【発明を実施するための形態】
【００２４】
＜第１実施形態＞
以下に本発明の実施形態を図面を参照して説明する。図１は一実施形態の冷蔵庫を示す正面図である。冷蔵庫１は断熱箱体により形成される本体部（不図示）の上部に冷蔵室３が配され、下部に冷凍室４が配される。冷蔵室３の前面は断熱箱体の左右端でそれぞれ枢支される観音開きの扉５、６によって開閉される。冷凍室４の前面は断熱箱体の左右端でそれぞれ枢支される観音開きの扉７、８によって開閉される。
【００２５】
冷蔵室３の左側の扉５と冷凍室４の左側の扉７とは同様の断面形状に形成され、冷蔵室３の右側の扉６と冷凍室４の右側の扉８とは同様の断面形状に形成される。また、扉５には前面から操作できる操作部３１が配され、後述するように報知光を点灯する点灯装置４０（図６参照）が設けられる。
【００２６】
図２は扉５の詳細を示す正面図であり、図３は図２のＡ−Ａ断面図を示している。扉５は冷蔵室３の前面を覆う扉本体部１０と、扉本体部１０の右側面から側方に突出するハンドル部２０とを備えている。扉本体部１０の背面は樹脂成形品の背面カバー（不図示）により覆われ、前面はガラス板１１により覆われる。扉本体部１０の両側面はそれぞれ樹脂成形品の側面カバー１２で覆われ、上下面には樹脂成形品のキャップ（不図示）が被嵌される。そして、扉本体部１０の内部に発泡断熱材１３が充填される。
【００２７】
扉本体部１０の右端部の側面カバー１２には前面を凹欠した段差部１４が形成される。段差部１４の側方に面した取付面１４ａには右方に突出するハンドル部２０がネジ２１により取り付けられる。この時、段差部１４によってハンドル部２０の後方には手指を挿入するスペースが形成される。ハンドル部２０はアルミニウム等の金属の押し出し成形によって一方向に延びて形成され、扉本体部１０の側面の長手方向（上下方向）に沿って扉５の上下端にわたって配される。
【００２８】
段差部１４の前方に面した露出面１４ｂはハンドル部２０よりも側方に延びて正面から視認可能に露出する。これにより、ハンドル部２０の右側方から差し入れた手指がハンドル部２０の背面に掛けられ、扉５を開くことができる。尚、冷蔵室３の右側の扉６は左側面にハンドル部（不図示）が設けられ、扉５のハンドル部２０の右側方から差し入れた手指を扉６のハンドル部に掛けて開かれる。
【００２９】
また、取付面１４ａには上下方向に延びる溝部１４ｃが凹設される。溝部１４ｃには詳細を後述する導光部材４１が配される。
【００３０】
図４は図２のＢ−Ｂ断面図であり、操作部３１上を通る断面を示している。図２、図４において、扉５の上下方向の中央部にはガラス板１１の背面側に操作部３１の収納室３０が形成される。段差部１４の取付面１４ａに設けた開口部（不図示）を介して操作部３１が収納室３０内に挿入される。
【００３１】
収納室３０にはリード線が接続されたコネクタ（不図示）が配される。コネクタには操作部３１の挿入によって回路基板３２に設けた端子部（不図示）が接続される。リード線は本体部（不図示）内に設けられる電装部から導出され、扉５の枢支軸を形成するシャフト（不図示）に挿通して扉５内に引き出される。
【００３２】
操作部３１は回路部品を実装する回路基板３２にタッチパネル３３を接続して形成され、冷蔵庫１の設定操作を行うとともに運転状態を表示する。例えば、タッチパネル３３の操作によって、冷蔵室３の室内温度等が設定される。タッチパネル３３の表示によって、一時停電の発生、扉５〜８の開放状態、冷蔵室３や冷凍室４の異常高温等の運転状態を報知する。
【００３３】
また、冷蔵室３にはイオン発生装置（不図示）が設けられ、タッチパネル３３によりイオン発生装置を駆動するとともに駆動状態が表示される。イオン発生装置の駆動によって冷蔵室３内にイオンを送出し、冷蔵室３内の除菌及び消臭を行うことができる。
【００３４】
取付面１４ａに設けた操作部３１を挿入する開口部は操作部カバー３６により塞がれる。図５は操作部カバー３６の正面断面図を示している。操作部カバー３６は樹脂成形品により形成され、上下端に設けたネジ孔３６ｃに挿通されるネジ（不図示）によって取付面１４ａ（図３参照）にネジ止めされる。
【００３５】
操作部カバー３６の収納室３０側の面には係合部３６ａ及び基板設置部３６ｂが突出して設けられる。係合部３６ａは収納室３０の壁面に係合して操作部カバー３６を仮止めする。基板設置部３６ｂは取付面１４ａの開口部を介して収納室３０内に配され、上下に並設される２つの回路基板４４が設置される。回路基板４４はリード線（不図示）を介して回路基板３２（図４参照）に接続される。
【００３６】
上方の回路基板４４の上面及び下方の回路基板４４の下面にはそれぞれ光源４５が実装される。これにより、光源４５は操作部３１と同じ高さに配される。光源４５はＲＧＢの各ＬＥＤチップを一体化した三色ＬＥＤにより形成される。これにより、操作部３１の操作や冷蔵庫１の運転状態に応じて光源４５の発光色が可変される。
【００３７】
例えば、光源４５はイオン発生装置が駆動状態の時に青色に発光し、一時停電が発生して電源復帰した後に緑色に発光する。また、光源４５は冷蔵室３または冷凍室４の異常高温時に赤色に発光し、扉３〜８が開放状態の時に白色に発光する。光源４５を二色ＬＥＤとしてもよく、多色ＬＥＤであればよい。
【００３８】
また、操作部カバー３６には溝部１４ｃ（図３参照）を延長して導光部材４１が配される溝部３６ｄ（図５において不図示）が設けられる。尚、下方の光源４５に面して下方に延びる導光部材４２（図６参照）が設けられ、導光部材４２は上記と同様に形成される溝部１４ｃ、溝部３６ｄ内に配される。また、導光部材４１、４２間には導光部材４３（図６参照）が設けられる。光源４５及び導光部材４１〜４３によって報知光を点灯する点灯装置４０が構成される。
【００３９】
図６は点灯装置４０の配置を示す正面図である。導光部材４１、４２は透明な樹脂により扉５の側面の長手方向（上下方向）に延びる棒状に形成される。各導光部材４１、４２は上方の光源４５の上方及び下方の光源４５の下方にそれぞれ配される。これにより、導光部材４１、４２はハンドル部２０に沿って扉５の上下端にわたって配される。
【００４０】
導光部材４１（第１導光部材）は長手方向の一端面（下面）が光源４５に対向する入射面４１ａ（第１入射面）を形成する。入射面４１ａは光源４５の光軸に直交する。また、導光部材４１は入射面４１ａに隣接して長手方向に延びる出射面４１ｂ（第１出射面）を右側方に面して配される。
【００４１】
同様に、導光部材４２（第２導光部材）は長手方向の一端面（上面）が光源４５に対向する入射面４１ａ（第２入射面）を形成する。入射面４２ａは光源４５の光軸に直交する。また、導光部材４２は入射面４２ａに隣接して長手方向に延びる出射面４２ｂ（第２出射面）を右側方に面して配される。
【００４２】
これにより、導光部材４１、４２は入射面４１ａ、４２ａを対向して長手方向に隣接する。入射面４１ａ、４２ａ間には光源４５が配置される空間部４７が形成される。空間部４７の右側方は透明な樹脂により形成される導光部材４３（第３導光部材）によって覆われる。
【００４３】
導光部材４３は導光部材４１、４２の入射面４１ａ、４２ａに隣接した上下端で空間部４７内に屈曲する屈曲部４３ｅを有し、正面断面が略コ字状に形成される。導光部材４３の右側面は出射面４１ｂ、４２ｂと同じ右側方に面した出射面４３ｂ（第３出射面）を形成する。
【００４４】
屈曲部４３ｅの外面は出射面４３ｂに連続した傾斜面４３ｄを形成する。傾斜面４３ｄはハンドル部２０（図２参照）及び導光部材４１、４２が延びた方向に一致する光源４５の光軸方向に対して傾斜角βで傾斜する。屈曲部４３ｅの内面は光源４５に面した入射面４３ａ（第３入射面）を形成する。入射面４３ａはハンドル部２０（図２参照）及び導光部材４１、４２が延びた方向に一致する光源４５の光軸方向に対して傾斜角αで傾斜する。
【００４５】
この時、傾斜角βが傾斜角αよりも大きくなっている。これにより、臨界角よりも小さい入射角θ１で入射面４３ａから入射した光を、臨界角よりも大きい入射角θ２で傾斜面４３ｄに入射させることができる。従って、傾斜面４３ｄで光が全反射して導光部材４３に導光させることができる。
【００４６】
尚、屈曲部４３ｅを設けずに入射面４３ａを出射面４３ｂと平行に形成してもよい。この時、傾斜角αは０゜となり、傾斜角βよりも小さい。しかしながら、屈曲部４３ｅを設けると、光源４５から入射面４１ａ、４２ａに向かう光の一部が屈曲部４３ｅで遮られる。これにより、入射面４３ａから導光部材４３内に取り込まれる光が増加し、導光部材４３の出射光の光量を増加させることができる。
【００４７】
また、導光部材４３の上下の屈曲部４３ｅ間には出射面４３ｂに対向する対向面４３ｃに面して白色樹脂等の不透明部材から成る遮蔽板４６が設けられる。遮蔽板４６によって空間部４７内の視認が防止され、冷蔵庫１の美観を向上することができる。
【００４８】
光源４５から上下方向に出射された光は入射面４１ａ、４２ａから導光部材４１、４２に入射し、矢印Ａ１に示すように導光する。そして、導光部材４１、４２を導光して臨界角よりも小さい入射角で出射面４１ｂ、４２ｂに到達した光が矢印Ａ２に示すように出射面４１ｂ、４２ｂから出射される。
【００４９】
光源４５から側方に出射された光は入射面４３ａから導光部材４３に入射し、矢印Ｂ１に示すように導光する。そして、導光部材４３を導光して臨界角よりも小さい入射角で出射面４３ｂに到達した光が矢印Ｂ２に示すように出射面４３ｂから出射される。
【００５０】
尚、導光部材４１〜４３の出射面４１ｂ〜４３ｂの対向面４１ｃ〜４３ｃに長手方向に並設される複数のプリズム部を凹設してもよい。これにより、導光部材４１〜４３の導光を出射面４１ｂ〜４３ｂから容易に出射させることができる。この時、入射面４１ａ〜４３ａから離れるに従ってプリズム部の深さを大きくするとより望ましい。これにより、光源４５から離れた位置の出射光の光量低下を抑制し、光量を均一にすることができる。
【００５１】
図３、図４において、導光部材４１、４２は長手方向に垂直な断面形状が矩形に形成され、溝部１４ｃ、３６ｄに嵌入される。取付面１４ａに取り付けられるハンドル部２０は溝部１４ｃ、３６ｄの開口面上に延出される。これにより、溝部１４ｃ、３６ｄに嵌入された導光部材４１、４２がハンドル部２０により係止され、溝部１４ｃ、３６ｄの底面とハンドル部２０の間に挟まれて保持される。このため、導光部材４１、４２を固定するための係合爪等を設ける必要がなく、係合爪等での拡散や反射によって出射光が不均一になることを防止できる。
【００５２】
ハンドル部２０の前面には導光部材４１〜４３の出射面４１ｂ〜４３ｂに対して傾斜して対向する反射面２０ａが設けられる。ハンドル部２０の反射面２０ａを含む前面はハンドル部２０の先端と取付面１４ａとの間に挟持される保護カバー２２で覆われる。保護カバー２２は透明な樹脂成形品により形成される。保護カバー２２によって手指の接触による導光部材４１〜４３の汚れや収納室３０内への浸水を防止することができる。
【００５３】
出射面４１ｂ〜４３ｂの出射光は矢印Ａ３に示すように反射面２０ａで前方に反射し、保護カバー２２を透過する。これにより、使用者が把持する際に目が届きやすいハンドル部２０に沿った広い範囲が運転状態の報知光の点灯領域となる。従って、ハンドル部２０を把持する際や、冷蔵庫１から離れた状態で報知光を容易に視認することができ、報知光の視認性を向上することができる。
【００５４】
本実施形態によると、光源４５を配置する空間部４７を挟んでハンドル部２０に沿って配される導光部材４１、４２（第１、第２導光部材）と、空間部４７を覆う導光部材４３（第３導光部材）とを備え、導光部材４１〜４３から報知光を出射する。このため、ハンドル部２０に沿う広い範囲を運転状態の報知光の点灯領域とすることができ、報知光の視認性を向上することができる。従って、冷蔵庫１の利便性を向上することができる。
【００５５】
また、導光部材４１〜４３及び光源４５が扉本体部１０に配されるため、長期使用によりハンドル部２０が変形しても導光部材４１〜４３と光源４５との位置ずれが発生しない。これにより、報知光の光量減少を防止して視認性の低下を防止できる。加えて、長期使用によりハンドル部２０が脱落しても電気部品である光源４５や配線が露出しないため、冷蔵庫１の安全性を向上することができる。
【００５６】
また、導光部材４１〜４３及び光源４５が扉本体部１０に配されるためハンドル部２０の長手方向の全体を把持することができる。従って、冷蔵庫１の利便性をより向上することができる。加えて、空間部４７を覆う導光部材４３からも報知光が出射されるため、空間部４７による報知光の暗部の形成を防止することができる。これにより、報知光の視認性がより向上されるとともに、冷蔵庫１の美観を向上することができる。
【００５７】
また、ハンドル部２０の背面側に手指を掛けるスペースが形成され、側方に面した出射面４１ｂ〜４３ｂに対向する反射面２０ａが前面に設けられる。このため、導光部材４１〜４３が正面に露出せず、冷蔵庫１の美観を向上することができる。加えて、光源４５の近傍に手指が配されないため、冷蔵庫１の安全性をより向上することができる。更に、反射面２０ａを所望の傾斜角度に形成して容易に所望の反射方向に設計変更することができる。
【００５８】
尚、導光部材４１〜４３の出射面４１ｂ〜４３ｂを扉５の正面に向けて配置してもよい。これにより、導光部材４１〜４３が正面に露出するが、ハンドル部２０に沿って報知光を点灯することができる。
【００５９】
また、導光部材４３が入射面４１ａ、４２ａに隣接する両端部の出射側にハンドル部２０が延びた方向に対して傾斜した傾斜面４３ｄを有するので、導光部材４３に入射した光を傾斜面４３ｄで反射して容易に導光させることができる。
【００６０】
また、導光部材４３が入射面４１ａ、４２ｂの近傍で空間部４７内に向けて屈曲する屈曲部４３ｅを有し、ハンドル部２０が延びた方向に対する傾斜面４３ｄの傾斜角βが入射面４３ａの傾斜角αよりも大きい。これにより、入射面４３ａから入射する光が増加して導光部材４３の出射光の光量が増加し、空間部４７による暗部の形成をより確実に防止することができる。また、傾斜角βが傾斜角αよりも大きいため、入射面４３ａから入射した光を傾斜面４３ｄで全反射して導光させることができる。
【００６１】
また、複数の光源４５の光軸に対して入射面４１ａ、４２ａがそれぞれ直交し、入射面４３ａが傾斜して配される。これにより、導光部材４１〜４３にそれぞれ光を入射して導光させる点灯装置４０を容易に実現することができる。尚、屈曲部４３ｅを省いた場合のように、入射面４３ａを光源４５の光軸に対して平行に形成してもよい。
【００６２】
また、導光部材４３の出射面４３ｂに対向する対向面４３ｃに不透明部材から成る遮蔽板４６を配置したので、空間部４７内の視認を防止して冷蔵庫１の美観をより向上することができる。
【００６３】
また、導光部材４１〜４３の対向面４１ｃ〜４３ｃに凹設して長手方向に並設される複数のプリズム部を設けると、導光部材４１〜４３の導光を出射面４１ｂ〜４３ｂから容易に出射させることができる。
【００６４】
また、光源４５が多色ＬＥＤにより形成され、運転状態に応じて光源４５の発光色を可変するので、光源４５の数量を少なくして冷蔵庫１のコストを削減することができる。
【００６５】
また、扉本体部１０の周面の取付面１４ａに凹設した溝部１４ｃ、３６ｄ内に導光部材４１、４２が配され、溝部１４ｃ、３６ｄの開口面上に延出するハンドル部２０により導光部材４１、４２が係止される。これにより、導光部材４１、４２の脱落を容易に防止できるとともに、係合爪等によって導光部材４１、４２の出射光が不均一になることを防止できる。
【００６６】
また、反射面２０ａの前方を覆う保護カバー２２を扉本体部１０とハンドル部２０との間に挟持したので、保護カバー２２に係合爪等を設ける必要がなく冷蔵庫１の美観を向上することができる。
【００６７】
また、扉本体部１０の前面に設けた操作部３１と同じ高さに配置される光源４５が操作部３１の操作に応じて発光する。これにより、操作部３１と光源４５との間の配線を短縮できるとともに、導光部材４１によって操作部３１から離れた位置で報知光を点灯することができる。従って、操作部３１の配置の自由度を高くすることができる。
【００６８】
本実施形態において、ハンドル部２０が上下方向に延びて設けられるが、左右方向に延びてもよい。即ち、ハンドル部２０を扉本体部１０の周面である下面や上面の長手方向（左右方向）に延びて配し、導光部材４１、４２をハンドル部２０に沿って延びるように配してもよい。
【００６９】
また、ハンドル部２０が扉本体部１０の周面である側面から突出するが、扉本体部１０の前面から突出して周面の長手方向に沿って配されていてもよい。
【産業上の利用可能性】
【００７０】
本発明によると、扉上で運転状態の報知光を点灯する冷蔵庫に利用することができる。
【符号の説明】
【００７１】
１    冷蔵庫
３    冷蔵室
４    冷凍室
５、６、７、８  扉
１０    扉本体部
１１    ガラス板
１２    側面カバー
１４    段差部
１４ａ  取付面
１４ｂ  露出面
１４ｃ、３６ｄ  溝部
２０    ハンドル部
２０ａ  反射面
２２    保護カバー
３０    収納室
３１    操作部
３２、４４  回路基板
３３    タッチパネル
３６    操作部カバー
４０    点灯装置
４１、４２、４３  導光部材
４１ａ、４２ａ、４３ａ  入射面
４１ｂ、４２ｂ、４３ｂ  出射面
４１ｃ、４２ｃ、４３ｃ  対向面
４３ｄ  傾斜面
４３ｅ  屈曲部
４５    光源
４６    遮蔽板
４７    空間部
【図１】
0005926127.tif 000002
【図２】
0005926127.tif 000003
【図３】
0005926127.tif 000004
【図４】
0005926127.tif 000005
【図５】
0005926127.tif 000006
【図６】
0005926127.tif 000007